(57)【要約】【課題】車の中で音楽を聞くために従来必要とされたカセットテープ、ＭＤやＣＤなどのメディアを廃止することにより、これらを収納するスペースを不要とし、また、車の運転中に所望の曲を検索し、再生することが可能な情報検索再生システムの提供を目的とする。【解決手段】家の中にあるホームサーバ１と、家の外の駐車場に止めてある自動車６の中の車載端末７は、ホームサーバ１に接続の無線ルータ３および車載端末７に接続された無線子機９を通じて、無線ＬＡＮを構成している。車載端末７からホームサーバ１にある楽曲リストを閲覧し、所望の楽曲名や演奏者名をクリックまたは音声認識入力すれば、ホームサーバ１のハードディスク上にある楽曲データ１０１が無線ルータ３、無線子機９を通して車載端末７に転送され、車載端末７で再生することができる。【選択図】　図１
2004037981.tif 000002
【特許請求の範囲】
【請求項１】
記憶装置を有した情報処理装置と、この情報処理装置に接続可能な無線子機を有した車載端末とで無線ネットワークを構成し、
前記情報処理装置の情報を、前記無線子機を通して前記車載端末で検索および取得しながら、または検索および取得後、前記車載端末で再生することを特徴とする情報検索再生システム。
【請求項２】
前記情報を、タイトルまたは内容に関連するキーワードの音声認識によって検索することを特徴とする請求項１記載の情報検索再生システム。
【請求項３】
前記情報処理装置が、前記情報を保存管理するサーバ機能を有したことを特徴とする請求項１または２に記載の情報検索再生システム。
【請求項４】
前記情報がインターネット業者所有のサーバに保存管理されており、このインターネット業者所有のサーバ内の情報を公衆通信網への接続手段を経由して検索および取得する構成としたことを特徴とする請求項１または２に記載の情報検索再生システム。
【請求項５】
記憶装置を有したファクシミリ装置と、このファクシミリ装置に接続可能な無線子機を有した車載端末とで無線ネットワークを構成し、
前記ファクシミリ装置の情報を、前記無線子機を通して前記車載端末で検索および取得しながら、または検索および取得後、前記車載端末で再生することを特徴とする情報検索再生システム。
【請求項６】
前記情報を、タイトルまたは内容に関連するキーワードの音声認識によって検索することを特徴とする請求項５記載の情報検索再生システム。
【請求項７】
前記情報がインターネット業者所有のサーバに保存管理されており、このインターネット業者所有のサーバ内の情報を前記ファクシミリ装置により検索および取得する構成としたことを特徴とする請求項５または６に記載の情報検索再生システム。
【請求項８】
記憶装置およびＩＤを認識するＩＤ手段を有した情報端末と、この情報端末に接続された無線親機と、この無線親機に接続可能な無線子機を有した車載端末とで無線ネットワークを構成し、
前記車載端末が、前記ＩＤ手段により前記無線ネットワークに加入し、前記無線子機および無線親機を通して前記情報端末の情報を検索および取得しながら、または検索および取得後、音声または画像で再生することを特徴とする情報検索再生システム。
【請求項９】
前記情報端末は、駐車場を有した店舗の端末または高度道路交通情報システム端末であることを特徴とする請求項８記載の情報検索再生システム。
【請求項１０】
前記情報を、タイトルまたは内容に関連するキーワードの音声認識によって検索することを特徴とする請求項８または９に記載の情報検索再生システム。
【請求項１１】
前記情報端末が、前記情報を保存管理するサーバ機能を有したことを特徴とする請求項８から１０のいずれかに記載の情報検索再生システム。
【請求項１２】
前記情報がインターネット業者所有のサーバに保存管理されており、このインターネット業者所有のサーバ内の情報を前記情報端末により検索および取得する構成としたことを特徴とする請求項８から１０のいずれかに記載の情報検索再生システム。
【請求項１３】
前記情報が車所有者の自宅のサーバに保存管理されており、この車所有者の自宅のサーバ内の情報を前記情報端末により検索および取得する構成としたことを特徴とする請求項８から１０のいずれかに記載の情報検索再生システム。
【請求項１４】
使用者が歌った音程から楽譜または音の波形をデジタルデータとして作成する機能を有し、前記情報を、前記楽譜または音の波形のデジタルデータを元に検索することを特徴とする請求項１から１３のいずれかに記載の情報検索再生システム。
【請求項１５】
前記車載端末が、テキストデータを音声に変換し再生する手段を有したことを特徴する請求項１から１４のいずれかに記載の情報検索再生システム。
【発明の詳細な説明】
【０００１】
【発明の属する技術分野】
本発明は、車載端末を含む無線ネットワークによる情報検索再生システムに関する。
【０００２】
【従来の技術】
従来、車の中で音楽を聴く場合、家の中で録音されたカセットテープやミニディスク（以下「ＭＤ」と称す。）またはコンパクトディスク（以下「ＣＤ」と称す。）等のメディアを車の中に持ちんで、聞きたい時にその曲がはいっているメディアを用いて車載オーディオ機器で聞くことができる。
【０００３】
また、特開２００１―３０８８７８公報には、ドライブスルー設備に停止した自動車内の携帯端末を使って、データ配信装置から情報をダウンロードする方法が掲載されている。
【０００４】
また、自宅などのパーソナルコンピュータ（以下「パソコン」と称す。）からモデム等の公衆通信網への接続機器を経由してインターネット業者所有のサーバにアクセスして音楽などのデジタルコンテンツを入手し、そのパソコンにて再生または他のＭＤなどのメディアに保存しなおして他の再生機器で再生することができる。
【０００５】
同様に、携帯電話等の公衆移動体通信技術およびその機器の発達により、携帯電話等の公衆移動体通信機器によりインターネット業者所有のサーバにアクセスして音楽などのデジタルコンテンツを取得し、携帯電話等で再生、またはこの携帯電話機等からＭＰ３データ再生機器等にデータを移し替えて再生することが可能である。
【０００６】
【発明が解決しようとする課題】
しかしながら、上記従来の方法では、使用者の要望する音楽などの多くのデータを車の中で好きな時に再生するためには、多くのカセットテープやＭＤ、ＣＤなどメディアを常に車に保有する必要があり、車の中に大きな場所を必要とする。
【０００７】
さらに、これらのメディアの中から要望する音楽などのコンテンツを探すのは煩雑である。特に、運転中に探そうとすると運転に支障をきたすことになる。
【０００８】
また、自宅のパソコンや携帯電話等を経由して、またはドライブスルー等に停止させた車の中からコンテンツを取得しても、それを車で再生するためには、ＭＤなどのメディアへの移し替えという煩雑な作業を必要とする。
【０００９】
そこで、本発明においては、車の中で音楽を聞くために従来必要とされたカセットテープ、ＭＤやＣＤなどのメディアを廃止することにより、これらを収納するスペースを不要とし、また、車の運転中に所望の曲を検索し、再生することが可能な情報検索再生システムを提供することを目的とする。
【００１０】
【課題を解決するための手段】
上記課題を解決するために本発明は、記憶装置を有した情報処理装置と、この情報処理装置に接続可能な無線子機を有した車載端末とで無線ネットワークを構成し、情報処理装置の情報を、無線子機を通して車載端末で検索および取得しながら、または検索および取得後、車載端末で再生する構成としたものである。
【００１１】
本発明によれば、自宅のホームサーバ上やインターネットプロバイダサーバ上等の車所有者のホームページ上にある楽曲やデジタルコンテンツ等を、必要なときに無線通信により車載端末に取得して蓄積し、視聴することが可能となり、従来必要とされたカセットテープ、ＭＤやＣＤ等のメディアを収納するスペースが不要となる。また、運転中に所望の曲が録音されているメディアを探す必要がないため、運転に支障をきたすことなく所望の曲を検索し再生することが可能となる。
【００１２】
【発明の実施の形態】
請求項１に記載の発明は、記憶装置を有した情報処理装置と、この情報処理装置に接続可能な無線子機を有した車載端末とで無線ネットワークを構成し、情報処理装置の情報を、無線子機を通して車載端末で検索および取得しながら、または検索および取得後、車載端末で再生することを特徴とする情報検索再生システムであり、自宅のホームサーバやインターネットプロバイダサーバ等の情報処理装置上の車所有者のホームページ上にある楽曲やデジタルコンテンツ等を、必要なときに無線通信により車載端末に取得して蓄積し、視聴することが可能となる。
【００１３】
請求項２に記載の発明は、情報を、タイトルまたは内容に関連するキーワードの音声認識によって検索することを特徴とする請求項１記載の情報検索再生システムであり、使用者が音声で楽曲を特定指示することが可能となる。
【００１４】
請求項３に記載の発明は、情報処理装置が、情報を保存管理するサーバ機能を有したことを特徴とする請求項１または２に記載の情報検索再生システムであり、情報処理装置によって、情報を保存管理することができる。
【００１５】
請求項４に記載の発明は、情報がインターネット業者所有のサーバに保存管理されており、このインターネット業者所有のサーバ内の情報を公衆通信網への接続手段を経由して検索および取得する構成とした請求項１または２に記載の情報検索再生システムであり、情報処理装置を介してインターネット業者所有のサーバに保存管理されている情報を検索および取得することが可能となる。
【００１６】
請求項５に記載の発明は、記憶装置を有したファクシミリ装置と、このファクシミリ装置に接続可能な無線子機を有した車載端末とで無線ネットワークを構成し、ファクシミリ装置の情報を、無線子機を通して車載端末で検索および取得しながら、または検索および取得後、車載端末で再生することを特徴とする情報検索再生システムであり、ファクシミリ装置の情報を、必要なときに無線通信により車載端末に取得して再生することが可能となる。
【００１７】
請求項６に記載の発明は、情報を、タイトルまたは内容に関連するキーワードの音声認識によって検索することを特徴とする請求項５記載の情報検索再生システムであり、使用者が再生したいファクシミリ装置の情報を音声で特定指示することが可能となる。
【００１８】
請求項７に記載の発明は、情報がインターネット業者所有のサーバに保存管理されており、このインターネット業者所有のサーバ内の情報をファクシミリ装置により検索および取得する構成とした請求項５または６に記載の情報検索再生システムであり、ファクシミリ装置を介してインターネット業者所有のサーバに保存管理されている情報を検索および取得することが可能となる。
【００１９】
請求項８に記載の発明は、記憶装置およびＩＤを認識するＩＤ手段を有した情報端末と、この情報端末に接続された無線親機と、この無線親機に接続可能な無線子機を有した車載端末とで無線ネットワークを構成し、車載端末が、ＩＤ手段により無線ネットワークに加入し、無線子機および無線親機を通して情報端末の情報を検索および取得しながら、または検索および取得後、音声または画像で再生することを特徴とする情報検索再生システムであり、情報端末上の情報を、必要なときに無線通信により車載端末に取得して蓄積し、再生することが可能となる。
【００２０】
請求項９に記載の発明は、情報端末は、駐車場を有した店舗の端末または高度道路交通情報システム端末であることを特徴とする請求項８記載の情報検索再生システムであり、駐車場を有した店舗の端末または高度道路交通情報システム端末上の情報を、必要なときに無線通信により車載端末に取得して蓄積し、再生することが可能となる。
【００２１】
請求項１０に記載の発明は、情報を、タイトルまたは内容に関連するキーワードの音声認識によって検索することを特徴とする請求項８または９に記載の情報検索再生システムであり、使用者が再生したい情報を音声で特定指示することが可能となる。
【００２２】
請求項１１に記載の発明は、情報端末が、情報を保存管理するサーバ機能を有したことを特徴とする請求項８から１０のいずれかに記載の情報検索再生システムであり、情報端末によって、情報を保存管理することができる。
【００２３】
請求項１２に記載の発明は、情報がインターネット業者所有のサーバに保存管理されており、このインターネット業者所有のサーバ内の情報を情報端末により検索および取得する構成とした請求項８から１０のいずれかに記載の情報検索再生システムであり、情報端末を介してインターネット業者所有のサーバに保存管理されている情報を検索および取得することが可能となる。
【００２４】
請求項１３に記載の発明は、情報が車所有者の自宅のサーバに保存管理されており、この車所有者の自宅のサーバ内の情報を情報端末により検索および取得する構成とした請求項８から１０のいずれかに記載の情報検索再生システムであり、車所有者の自宅のサーバ内の情報を検索および取得することが可能となる。
【００２５】
請求項１４に記載の発明は、使用者が歌った音程から楽譜または音の波形をデジタルデータとして作成する機能を有し、情報を、楽譜または音の波形のデジタルデータを元に検索することを特徴とする請求項１から１３のいずれかに記載の情報検索再生システムであり、使用者が歌った音程から情報を検索することが可能となる。
【００２６】
請求項１５に記載の発明は、車載端末が、テキストデータを音声に変換し再生する手段を有したことを特徴する請求項１から１４のいずれかに記載の情報検索再生システムであり、テキストデータを音声で聞いて検索することが可能となる。
【００２７】
以下、本発明の実施の形態について、図面を用いて説明する。
【００２８】
（実施の形態１）
図１は本発明の第１の実施の形態におけるＬＡＮを利用した情報検索再生システムの構成図である。
【００２９】
家の中にあるホームサーバ１は、無線ルータ３と無線ネットワークとしての無線ＬＡＮにて接続されている。無線ルータ３は、高速モデム４と接続されている。高速モデム４は、公衆通信網としての高速通信回線（電話回線、ケーブル回線または光通信回線）でインターネット網５に接続されている。また、家の外の駐車場に止めてある自動車６の中のカーナビゲーション装置やＡＶマルチステーション装置等の車載端末７は、音声認識入力装置８および公衆通信網への接続手段としての無線子機９と接続され、無線子機９を介して家の中の無線ルータ３と無線ＬＡＮにて接続されている。このように構成された情報検索再生システムの動作を以下に説明する。
【００３０】
ホームサーバ１は、ＣＤ等の楽曲データ１０１を圧縮して磁気ディスク上に保存可能である。このとき、楽曲データ１０１の曲名、その上位階層名としてのアルバム名、および、その上位階層名としての演奏者名データを、楽曲リストデータ１０２としてホームサーバ１内に登録し記憶する。
【００３１】
車載端末７から楽曲リストデータ１０２の要求信号２０１を送出すると、ホームサーバ１は、ホームサーバ１にある楽曲リストデータ１０２を返信する。これにより車載端末７にて楽曲リストを表示し閲覧することが可能となる。
【００３２】
そして、車載端末７にて所望の楽曲名や演奏者名等をクリックするなどして特定し、その楽曲データ１０１の要求信号２０２を送出すると、ホームサーバ１は、ホームサーバ１にある楽曲データ１０１を返信する。これにより、車載端末７において使用者が所望する楽曲データ１０１を、事前に車にＣＤ等のメディアを保管または持ち込むことなしに取得し、再生することができる。
【００３３】
ここで、上記車載端末７では、楽曲リストを使用者に伝える方法として、画像情報として表示しているが、この車載端末７が有する音声再生手段３０１により楽曲リストデータ１０２を音声出力することも可能である。この場合、特に運転中に検索する場合の利便性が向上する。
【００３４】
また、所望の楽曲名や演奏者名等の特定指示の方法として、車載端末７が有する音声認識入力装置８により、使用者が音声で楽曲を特定指示することも可能である。この場合、特に運転中に検索する場合の利便性が向上する。
【００３５】
また、車載端末７に取得した楽曲データ１０１は、取得と同時に再生することも可能であるが、車載端末７に内蔵の記憶装置、例えば光ディスク装置や磁気ディスク装置等に保存した後に再生することも可能である。ここで、車載端末７に複数の楽曲データ１０１を保存し、その後に再生する場合は、使用者が所望の楽曲を指定する必要がある。この場合、楽曲リストデータ１０２を楽曲データ１０１と共に保存する手段およびその検索機能を車載端末７に有することで、上記と同様の検索が車載端末７内部で可能となる。これにより、好きな時に、タイトルまたは内容に関連するキーワードとしての楽曲名や演奏者名等をキー入力または音声認識入力装置８で音声入力することで、自動的に検索し、車載端末７で再生することができる。このようにして取得されるデータは、ビデオクリップ等の画像データ、ニュース、小説等の文書データとすることも可能であり、これらの画像データのビデオ再生や文書データを読み上げて再生することができる。
【００３６】
また、ホームサーバ１には、車の保有者にネットワーク認識ＩＤ２０３を付与するとともにＩＤを認識するＩＤ手段１０３を備える。家の中にある特定の無線ルータ３と通信する場合、車載端末７とＩＤ手段１０３との間でＩＤによる認証を行うことで、無線ＬＡＮに加入し、車載端末７が無線子機９を通してホームサーバ１の情報を検索および取得する際の不正なアクセスを防ぐことが可能である。
【００３７】
なお、無線ＬＡＮの具体例としては、ＩＥＥＥ８０２．１１ｂ規格による２．４ＧＨｚ無線ＬＡＮ等がある。ＩＥＥＥ８０２．１１ｂ規格による２．４ＧＨｚ無線ＬＡＮを使用した場合、伝送速度が最大で一秒あたりに１０Ｍビットである。３分間の音楽の場合のデータサイズは、楽曲データをＭＰ３方式で圧縮した場合は約２４Ｍビットであり、上記楽曲のデータ転送に要する時間は約２秒となる。ＣＤに用いられる非圧縮の３分間の楽曲データの場合は約８８Ｍバイトであり、転送に要する時間は約９秒となる。
【００３８】
また、楽曲データ１０１の検索にあたっては、使用者が歌った音程から楽譜または音の波形をデジタルデータとして作成する機能を有し、その楽譜または音の波形をデジタルデータを元に検索する構成とすることにより、音楽検索の検索キーワードを思い出さなくても、所望の曲の一部を歌うことで検索することが可能となる。
【００３９】
また、車載端末７において、テキストデータを音声に変換し再生する音声再生手段３０１を有する構成とすることにより、楽曲リストデータ１０２の検索時に画像表示を見る必要がなく、音声で聞いて検索することが可能となる。または、ホームサーバ１より得た小説やホームページ内のテキスト情報を、自動車６の中で聞くことが可能となる。
【００４０】
（実施の形態２）
図２は本発明の第２の実施の形態におけるＬＡＮを利用した情報検索再生システムの構成図である。
【００４１】
インターネットプロバイダサーバ１０はインターネット網５内にあり、個人のホームページ１１が登録されている。個人のホームページ１１には、個人が登録した楽曲データ１０１が保存されている。他の構成は図１と共通である。このように構成された情報検索再生システムの動作を以下に説明する。
【００４２】
パソコン２は、ＣＤ等の楽曲データを圧縮した楽曲データ１０１を磁気ディスク上に保存する。このとき、曲名、その上位階層名としてのアルバム名、および、その上位階層名としての演奏者名を、楽曲リストデータ１０２としてパソコン２内に登録し記憶する。そして、この保存したデータを無線ルータ３および高速モデム４を通してインターネット網５内のインターネットプロバイダサーバ１０にある個人のホームページ１１に登録する。
【００４３】
車載端末７にインターネットプロトコル通信手段、および、Ｗｅｂブラウザ機能またはＦＴＰ機能を有することで、車載端末７からインターネットプロトコルにより無線ルータ３および高速モデム４を通してインターネット網５にアクセスし、さらにＵＲＬを指定して所望のホームページ１１にアクセスする。そして、そこにある楽曲リストを高速モデム４および無線ルータ３を通して閲覧し、所望の楽曲名をクリックまたは音声認識入力することにより、ホームページ１１にあるデータが、高速モデム４、無線ルータ３および無線子機９を通して、車載端末７に転送され、同時に再生または車載端末７に内蔵の記憶装置、例えば光ディスク装置や磁気ディスク装置等に保存される。
【００４４】
なお、上記ホームページへのアクセスおよび楽曲リストデータ１０２の取得は、車載端末７が有するＷｅｂブラウザ機能またはＦＴＰ通信機能により行う。その手順は、通常のパソコンからインターネット経由でＷｅｂブラウザ機能による特定ホームページまたはＦＴＰプロトコルによる特定サーバの特定情報を要求し、そのホームページやＦＴＰサーバの特定の画像や文字、音声情報を得て表示または再生するのと同様である。
【００４５】
さらに、好きな時に、楽曲名や演奏者名をキー入力または音声認識入力装置８による音声入力を行うことで自動的に検索し、検索が完了すれば車載端末７で再生することが可能である。このようにして取得、再生されるデータは、ビデオクリップ等の画像データ、ニュース、小説等の文書データとすることも可能であり、これらの画像データのビデオ再生や文書データを読み上げて再生することができる。
【００４６】
（実施の形態３）
図３は本発明の第３の実施の形態におけるＬＡＮを利用した情報検索再生システムの構成図である。
【００４７】
無線親機１２は、例えばファクシミリ装置（ＦＡＸ）や電話装置等である。無線子機１３は、無線親機１２と無線通信を行う。無線親機１２は、内蔵モデムによりインターネット網５に接続可能であり、インターネットプロバイダサーバ１０にある個人のホームページ１１は、無線親機１２でも無線子機１３でも閲覧できる。
【００４８】
無線親機１２または無線子機１３には、楽曲データ１０１を保存できるＩＣメモリカード１４が装着可能である。無線子機１３は、車載端末７に無線または有線により接続可能であり、インターネットプロバイダサーバ１０にある個人のホームページ１１上の楽曲データ１０１を車載端末７に転送可能である。他の構成は図１と共通である。このように構成された情報検索再生システムの動作を以下に説明する。
【００４９】
パソコン２では、ＣＤ等の楽曲データ１０１を圧縮してＩＣメモリカ−ド１４に保存することが可能である。このとき、曲名、その上位階層名としてのアルバム名、および、その上位階層名としての演奏者名を楽曲リストデータ１０２として登録する。保存したＩＣメモリカード１４を、無線親機１２または無線子機１３に装着し、ＩＣメモリカ−ド１４に保存されたデータを、インターネット網５内のインターネットプロバイダサーバ１０にある個人のホームページ１１に登録する。
【００５０】
車載端末７からは、ホームページ１１にある楽曲リストを、無線親機１２または無線子機１３を通して閲覧することが可能である。そして、所望の楽曲名をクリックまたは音声認識入力装置８で音声入力することにより、ホームページ１１上にある楽曲データ１０１が、無線親機１２および無線子機１３を通して、車載端末７に転送され、同時に再生または車載端末７に内蔵の記憶装置、例えば光ディスク装置や磁気ディスク装置等に保存される。
【００５１】
さらに、好きな時に、楽曲名や演奏者名をキー入力または音声認識入力装置８による音声入力を行うことで自動的に検索し、検索が完了すれば車載端末７で再生することが可能である。このようにして取得、再生されるデータは、ビデオクリップ等の画像データ、ニュース、小説等の文書データであることも可能であり、これらの画像データのビデオ再生や文書データを読み上げて再生することができる。
【００５２】
（実施の形態４）
図４は本発明の実施の形態におけるＷＡＮを利用した情報検索再生システムの構成図である。
【００５３】
自動車６は、店舗２１内の駐車場に入ると、例えば店舗２１とのお得意様契約等により、自動的にＩＰアドレスが車載端末７に割り当てられる。これにより、車載端末７は、店舗２１内の顧客向けのＬＡＮに入ることが可能となる。店舗２１内には情報端末としての顧客向けサーバ２２、無線親機２３が設置されており、これらは自動車６の車載端末７と無線によるデータ交換が可能である。他の構成は図１と共通である。このように構成された情報検索再生システムの動作を以下に説明する。
【００５４】
顧客向けサーバ２２は、ＣＤ等の楽曲データを圧縮した楽曲データ１０１を磁気ディスク上に保存する。このとき、曲名、その上位階層名としてのアルバム名、その上位階層名としての演奏者名を楽曲リストデータ１０２として登録している。
【００５５】
車載端末７からは、顧客向けサーバ２２にある楽曲リストを閲覧することができる。そして、所望の楽曲名や演奏者名をクリックまたは音声認識入力装置８で音声入力することにより、顧客向けサーバ２２の磁気ディスク上にある楽曲データ１０１が、無線親機２３および無線子機９を通して、車載端末７に転送され、同時に再生または車載端末７に内蔵の記憶装置、例えば光ディスク装置や磁気ディスク装置等に保存される。
【００５６】
また、顧客向けサーバ２２を通してインターネット網５に入り、自宅のホームサーバ１上の楽曲データ１０１、またはインターネットプロバイダサーバ１０にある個人のホームページ１１の中にある楽曲データ１０１を閲覧することが可能である。そして、所望の楽曲名や演奏者名をクリックまたは音声認識入力装置８で音声入力することにより、楽曲データ１０１が無線親機２３および無線子機９を通して車載端末７に転送され、同時に再生または記憶装置に保存される。
【００５７】
さらに、好きな時に、楽曲名や演奏者名をキー入力または音声認識入力装置８による音声入力を行うことで自動的に検索し、検索が完了すれば車載端末７で再生することが可能である。このようにして取得、再生されるデータは、ビデオクリップ等の画像データ、ニュース、小説等の文書データであることも可能であり、これらの画像データのビデオ再生や文書データを読み上げて再生することができる。
【００５８】
ここで、店舗２１は、例えば給油サービス店舗、コンビニエンスストア、スーパーマーケット、ファーストフード店等であり、高度道路交通情報システム（ＩＴＳ）等の高度情報システムの超高速データ通信網と接続することも可能である。その場合、取得、再生されるデータは道路情報、観光情報のデータとすることが可能である。
【００５９】
【発明の効果】
本発明によれば、以下の効果を奏することができる。
【００６０】
（１）請求項１，５，８に記載の発明により、自宅のホームサーバ上やインターネットプロバイダサーバ上等の車所有者のホームページ上にある楽曲やデジタルコンテンツ等を、必要なときに無線通信により車載端末に取得して蓄積し、視聴することが可能となり、従来必要とされたカセットテープ、ＭＤやＣＤ等のメディアを収納するスペースが不要となる。また、運転中に所望の曲が録音されているメディアを探す必要がないため、運転に支障をきたすことなく所望の曲を検索し再生することが可能となる。
【００６１】
（２）請求項２，６，１０に記載の発明により、使用者が音声で楽曲を特定指示することが可能となり、特に運転中に検索する際の利便性を向上させることができる。
【００６２】
（３）請求項３，１１に記載の発明により、サーバ機能によってローカルなネットワークで情報のやり取りが可能となるため、通信業者に支払う回線使用料が不要となるという効果が得られる。
【００６３】
（４）請求項４，７，１２に記載の発明により、情報処理装置、ファクシミリ装置または情報端末を介してインターネット業者所有のサーバに保存管理されている情報を検索および取得することができるため、世界中のあらゆるサーバにアクセス可能という効果が得られる。
【００６４】
（５）請求項９に記載の発明により、駐車場を有した店舗の端末または高度道路交通情報システム端末上の情報を、必要なときに無線通信により車載端末に取得して蓄積し、再生することが可能となる。
【００６５】
（６）請求項１３に記載の発明により、車所有者の自宅のサーバ内の情報を検索および取得することが可能となるため、外出先の店舗から自在に自宅の情報にアクセス可能という効果が得られる。
【００６６】
（７）請求項１４に記載の発明により、音楽を検索する際にキーワードを思い出さなくても、使用者が所望の曲の一部を歌うことで、この歌った音程から情報を検索して再生することが可能となる。
【００６７】
（８）請求項１５に記載の発明により、楽曲リスト検索時にテキストデータを音声で聞いて検索することが可能となり、画像表示を見る必要がなく、利便性が向上する。また、サーバから得た小説やホームページ等のテキスト情報を車で音声によって聞くことが可能となり、利便性が向上する。
【図面の簡単な説明】
【図１】本発明の第１の実施の形態におけるＬＡＮを利用した情報検索再生システムの構成図
【図２】本発明の第２の実施の形態におけるＬＡＮを利用した情報検索再生システムの構成図
【図３】本発明の第３の実施の形態におけるＬＡＮを利用した情報検索再生システムの構成図
【図４】本発明の実施の形態におけるＷＡＮを利用した情報検索再生システムの構成図
【符号の説明】
１　ホームサーバ
２　パソコン
３　無線ルータ
４　高速モデム
５　インターネット網
６　自動車
７　車載端末
８　音声認識入力装置
９　無線子機
１０　インターネットプロバイダサーバ
１１　個人のホームページ
１２　無線親機
１３　無線子機
１４　ＩＣメモリカード
２１　店舗
２２　顧客向けサーバ
２３　無線親機
【図１】
2004037981.tif 000003
【図２】
2004037981.tif 000004
【図３】
2004037981.tif 000005
【図４】
2004037981.tif 000006